(57)【要約】【課題】片手で簡単に表示画面のスクロールが可能な携帯端末を提供することを目的とする。【解決手段】情報を表示する表示部２を有する面の側面に、スクロール方向に関連づけられた複数の接点を有するスイッチ１を設けることにより、片手で簡単に表示画面のスクロールを行える携帯端末を提供する。【選択図】　　　図１
2004029951.tif 000002
【特許請求の範囲】
【請求項１】
情報を表示する表示部を有する面の側面に、前記表示部に表示された情報をスクロールするためのスイッチを設けた携帯端末。
【請求項２】
前記スイッチが、スクロール方向に関連づけられた複数の接点部を有する請求項１に記載された携帯端末。
【請求項３】
前記スイッチが、前記側面に固定される固定部と該固定部に対して移動可能な可動部とを備え、該可動部が、前記側面に対して出没する方向に移動可能に設けられるとともに、前記固定部に前記出没方向に間隔をおいた複数の位置において、前記可動部を前記出没方向に交差する方向にスライドさせる複数の案内レールが設けられ、各案内レール毎に前記可動部に設けた前記接点部との間に電気的に接続する端子が設けられている請求項１または請求項２に記載された携帯端末。
【発明の詳細な説明】
【０００１】
【発明の属する技術分野】
本発明は、携帯端末に関する。
【０００２】
【従来の技術】
従来より、文字情報や画像情報等を表示する表示部を有する携帯電話やＰＤＡ（Ｐｅｒｓｏｎａｌ　Ｄａｔａ　Ａｓｓｉｓｔａｎｔｓ）等においては、装置の小型化という要請から表示部の面積が制限されている。一方で、携帯端末は、屋外での使用が前提となるため、表示情報の視認性を確保するためには、表示部の面積に対応して表示情報をあまりに縮小化するのも妥当でない。そこで、かかる問題を解決するために、表示画面を操作ボタンによりスクロールする機能が搭載されている。
【０００３】
【発明が解決しようとする課題】
しかし、従来の携帯端末においては、表示画面をスクロールするためのボタンが、携帯端末の表示部がある面にスクロール操作を行う方向ごと、それぞれ独立して配置されていたために、表示画面をスクロールするときには、スクロールをする方向ごとに、いちいちボタンを押し変える必要があり、操作が煩雑であった。また、スクロールするためのボタンが、携帯端末の表示部がある面に配置されていたため、片手での操作が難しく、操作性が悪いという問題があった。
【０００４】
そこで、本発明は、上述した問題点に鑑みてなされたものであって、表示画面をスクロールするためのボタンを携帯端末の表示部の側面に配置するとともに、一つのスイッチで、上下、左右二方向の操作を可能とすることで、片手で簡単に表示画面のスクロールが可能な携帯端末を提供することを目的とする。
【０００５】
【課題を解決するための手段】
前記課題を解決するため、本発明は、以下の手段を提案している。
請求項１に係る発明は、情報を表示する表示部を有する面の側面に前記表示部に表示された情報をスクロールするためのスイッチを設けた携帯端末を提案している。
この発明によれば、携帯端末の表示部を有する面の側面に、画面をスクロールするためのスイッチを配置することとしたので、片手で画面のスクロールを行うことができる。
【０００６】
請求項２に係る発明は、請求項１に記載された携帯端末について、前記スイッチが、スクロール方向に関連づけられた複数の接点部を有する携帯端末を提案している。
この発明によれば、スイッチがスクロール方向に関連づけられた複数の接点を有することから、接点の状態を判別することにより、一つのスイッチで表示情報をスクロールさせる複数の方向を判別することができる。
【０００７】
請求項３に係る発明は、請求項１または請求項２に記載された携帯端末について、前記スイッチが、前記側面に固定される固定部と該固定部に対して移動可能な可動部とを備え、該可動部が、前記側面に対して出没する方向に移動可能に設けられるとともに、前記固定部に前記出没方向に間隔をおいた複数の位置において、前記可動部を前記出没方向に交差する方向にスライドさせる複数の案内レールが設けられ、各案内レール毎に、前記可動部に設けた前記接点部との間に電気的に接続する端子が設けられている携帯端末を提案している。
【０００８】
この発明によれば、固定部に可動部をスライドさせる案内レールを設けたことから、可動部をスライドさせて固定部の端子と可動部の接点部を接触させることによって、表示情報のスクロール方向を電気的に判別することができる。また、可動部は、表示部の側面に対し出没し、その状態でスライドするため、１つのスイッチで複数のスクロール方向を判別することができる。
【０００９】
【発明の実施の形態】
以下、本発明の実施形態に係る携帯端末について図１から図９を参照して詳細に説明する。
図１は、本発明の実施形態に係る携帯端末本体の上面図である。
図１に示す通り、本発明の実施形態に係る携帯端末は、情報を表示する表示部２を有する面に対して、その右側面にスイッチ１を備えている。表示部２は、使用者が必要とする文字情報や画像情報を表示する機能を有し、一般的には、ＬＣＤ（Ｌｉｑｕｉｄ　Ｃｒｙｓｔａｌ　Ｄｉｓｐｌａｙ）等で構成されている。また、スイッチ１は、表示部２に表示された情報を上下、左右方向にスクロールするために用いられるものである。
【００１０】
次に、図２から図４を用いて、スイッチ１によって、表示部２に表示された情報画面をスクロールする場合について説明する。
本発明の実施形態に係るスイッチ１は、図２に示すスイッチ１の断面の模式図にあるように、端子５と可動部４をスライドさせるスライド溝６とを有する固定部３と図面上、上下、左右対称に接点としての４つの端子挿入口７（Ａ０、Ａ１、Ｂ０、Ｂ１）と固定部３のスライド溝６と係合する凸部８とを有する可動部４とからなり、可動部４の端子挿入口７の内部は、導電処理がされている。可動部４は、図面の上下方向に可動範囲９を有しているため、可動部４が例えば、上方向に移動すると端子挿入口７（Ｂ０）の中に端子５（Ｃ０）が挿入され両者は接触状態となる。なお、端子５は、金属製であり、前記の接触状態とは、電気的な導通状態を意味する。これとは、逆に、可動部４が例えば、下方向に移動すると端子挿入口７（Ｂ１）の中に端子５（Ｃ１）が挿入され両者は接触状態となる。
【００１１】
また、図３に示すように、本発明の実施形態に係るスイッチ１は、可動部４を押し込んだ状態においても、図面の上下方向に可動部４をスライドさせて移動できる。したがって、例えば、可動部４を押し込んだ状態で、上方向に移動させると端子挿入口７（Ａ０）の中に端子５（Ｃ０）が挿入され両者は接触状態となる。逆に、可動部４が例えば、下方向に移動すると端子挿入口７（Ａ１）の中に端子５（Ｃ１）が挿入され両者は接触状態となる。したがって、端子挿入口７のそれぞれを表示画面のスクロール方向と予め関連づけておけば、各端子挿入口７と端子５の接触状態により、表示画面のスクロール方向を電気的に判断することができる。
【００１２】
すなわち、図４に示すように、端子挿入口７のうち、端子挿入口７（Ａ０）と端子５とが接触した場合を右方向の画面スクロールとし、以下同様に、端子挿入口７（Ａ１）を左方向、端子挿入口７（Ｂ０）を上方向、端子挿入口７（Ｂ１）を下方向と決め、実データ１０（図４中、Ａ，Ｂ，Ｃ，Ｄのアルファベットと１から９の数字で表現された部分）に対する表示部２での表示エリア１１を太字の囲みとすると、端子５と端子挿入口７とが非接触の状態である場合の表示画面から各端子挿入口７と端子５との接触状態に対応して予め決められた所定の量だけ表示画面をスクロールすることができる。なお、表示画面を斜め方向にスクロールしたい場合には、例えば、まず、可動部４を図４中の（Ｉ）方向に移動させた後、可動部４を一旦、元の位置に戻してから（ＩＩＩ）の方向に移動させれば、最終的に表示エリア１１を右上に移動することができる。（可動部４を（ＩＩＩ）方向に動かした後、（Ｉ）方向に動かしても同様である。）
【００１３】
次に、本発明の第一の実施形態に係る携帯端末に取り付けられる表示画面スクロール用スイッチの構造について、図５、図６を用いて説明する。
本発明の第一の実施形態に係る携帯端末に取り付けられる表示画面スクロール用スイッチは、図５に示されるように、固定部３と可動部４とからなるいわゆるスライド型のスイッチである。固定部３は、樹脂で形成される箱型のボディ１２からなり、中央部には、可動部４の飛び出しを防止するツバ１３が形成されている。また、金属製の端子５が両側に対称に配置されて、ボディ１２の内側には、可動部４が固定部３に対して出没する方向と交差する方向にスイッチ１をスライドさせるための案内レールである凹形状のスライド溝６が上下２段平行に設けられている。
【００１４】
一方、可動部４は、樹脂で形成されたボディと、上記固定部３の凹形状スライド溝６をスライドする凸部８とを有し、さらに、固定部３の端子５が挿入される接点部としての端子挿入口７を有する構造となっている。なお、この端子挿入口７は、固定部３の端子５との電気的な導通を図るため、その内部に導電性物質がメッキ処理された構造若しくは中空の導電部材が嵌め込まれた構造となっている。
【００１５】
図６（ｂ）に示す図６（ａ）のＡ―Ａ´方向の断面図より、可動部４には、固定部３の端子５が挿入される接点としての端子挿入口７が左右対称に、しかも上下２段に設けられている。また、固定部３の案内レールとしてのスライド溝６およびこれをスライドする可動部４の凸部８もそれぞれ左右対称に上下２段で構成されている。さらに、可動部４は、スイッチ１の中央部においては、下側からバネ１４により上方向に付勢されており、このバネ１４に抗して可動部４を押し込むと、可動部４の位置を下方向に変位させることができる。なお、バネ１４の付勢力によって、可動部４が固定部３から飛び出さないように、上記したツバ１３が固定部３に設けられている。
【００１６】
実際に、可動部４を移動させるときは、可動部４の一端が固定部３のツバ１３に突き当たっている状態で、固定部３の上側にあるスライド溝６と、可動部４の下側にある凸部８の高さ方向の位置がつりあっている状態となっているため、そのまま、可動部４を固定部３の端子５方向に移動させれば、凸部８がスライド溝６に挿入され、その後、端子５も端子挿入口７に挿入されて、端子５の先端が端子挿入口７の端面に突き当たるまで、スムーズに移動する。
【００１７】
次に、図２および図３を用いて、表示画面のスクロール方向を電気的に検出する方法について説明する。図２に示す第一の実施形態においては、上述のように、各端子挿入口７がそれぞれ表示画面のスクロール方向に関連づけられており、端子５が電源に、各端子挿入口７は抵抗を介してグランドに接続されている。また、抵抗のもう一端は、図示しない携帯端末内のＣＰＵのポート（ａ０、ａ１、ｂ０、ｂ１）に接続されている。これにより、端子５と端子挿入口７が接触していないときは、該当するＣＰＵのポート電圧がグランドレベルとなり、端子５と端子挿入口７が接触しているときは、該当するＣＰＵのポート電圧が電源電圧レベルとなる。
【００１８】
したがって、各ポートの電圧をＣＰＵでモニターしていれば、その電圧の変化によって、スイッチ１の移動方向を電気的に判別することができ、表示画面のスクロール方向を正確に把握することができる。なお、表示画面の移動量は、予め設定することができ、これにしたがって、ＣＰＵのポート電圧が変化したときに決まった量だけ移動する。また、上記の動作については、図３に示すように、可動部４を押し込んでスライドさせたときにも同様である。
【００１９】
次に、本発明の第二の実施形態について説明する。
図７は、本発明の第二の実施形態に係るスイッチにおける端子と挿入口の部分を拡大して模式的に示したものである。
図より、端子挿入口７内部には、一定の間隔をおいて、中空状の導電物が配置されており、この中を金属製の端子５が挿入され、これらとの接触状態を維持して移動をしていく。各導電物には、それぞれグランドとの間に抵抗器が設けられ、端子５の一端は、抵抗器を介して電源に接続されるとともに、図示しない携帯端末内のＣＰＵに接続されている。
【００２０】
端子５が、端子挿入口７に挿入されると、まず、第一の導電物に接触し、さらに進んでいくと、第一および第二の導電物に接触し、やがて、すべての導電物と接触状態となる。このとき、携帯端末内のＣＰＵのポート電圧は、端子５が第一の導電物と接触したときは、電源電圧をｒとＲ１とで分圧した値に、第一および第二の導電物と接触したときは、電源電圧をｒとＲ１およびＲ２の並列値とで分圧した値にと、順次変化する。したがって、図示しない携帯端末内の記憶部に、ＣＰＵのポート電圧とこれに対応したスクロールスピードを関連付けたデータテーブルを用意しておけば、可動部４の移動量に対応して、スクロールスピードを可変することができる。
【００２１】
次に、本発明の第三の実施形態について説明する。
図８は、本発明の第三の実施形態に係るスイッチにおける端子と挿入口の部分を拡大して模式的に示したものである。
図より、端子挿入口７の内部には、端子５との接点として中空状の導電性部材が設けられており、端子５は、長さに比例して抵抗値が変化する部材により構成されている。端子挿入口７内部の導電性部材は、抵抗器を介してグランドに接続されるとともに、図示しない携帯端末内のＣＰＵに接続されており、端子５の一端は電源に接続されている。端子５が端子挿入口７に挿入され、内部の導電性部材に接触すると、携帯端末内のＣＰＵのポート電圧は、固定抵抗器Ｒと可変抵抗器Ｒｘとで電源電圧を分圧した値になるため、端子５の移動量に対応して携帯端末内のＣＰＵのポート電圧も変化することになる。したがって、上記と同様に、図示しない携帯端末内の記憶部に、ＣＰＵのポート電圧とこれに対応したスクロールスピードを関連付けたデータテーブルを用意しておけば、可動部４の移動量に対応して、スクロールスピードを可変することができる。
【００２２】
次に、本発明の第四の実施形態について説明する。
図９は、本発明の第四の実施形態に係るスイッチの断面図を示したものである。
図から、本実施形態に係るスイッチは、ベース部材１５と、タクトスイッチ１６と、ボタン部材１７と、弾性体１８と、ベースから上方向に伸びる突起部１９とから構成されている。タクトスイッチ１６は、ベース部材１５上に、一列に３個配置されており、その上部に、各々のボタン部分を一体に成型したボタン部材１７が設けられ、その下部両端を弾性体１８が支持する構造となっている。３個のタクトスイッチ１６のうち、スクロール方向を指示するスイッチは両端に配置されたスイッチであって、中央のスイッチは、上下、左右方向のモードを切り替えるために用いられる。
【００２３】
実際のスイッチ動作は、例えば、ａ部が下方向に押されたときは、ａ側のタクトスイッチ１６の近傍にある弾性体１８が下方向に縮まるとともに、ａ側のタクトスイッチ１６のもう一方の近傍にある突起部１９が支点となって、他端ｃ側のボタン部材１７部分を上方向の持ち上げる動きをする。これによって、ボタン部材１７が支点である突起部１９に対してシーソーのような動きをすることで、３個あるスイッチのうち、所望のスイッチのみを操作することができる。なお、中央に位置するモードスイッチを上から押したときに、両端のスイッチが押されないように、ボタン部材１７の裏側に設けられたスイッチを押すための凸部は、中央の凸部のみが他の凸部よりも長くなっている。
【００２４】
携帯端末にこのスイッチを使用するときは、例えば、ａ側のタクトスイッチ１６を上方向の画面スクロールに、ｃ側のタクトスイッチ１６を下方向の画面スクロールに、また、モードスイッチであるｂ側のタクトスイッチ１６を一回押した後、ａ側のタクトスイッチ１６を押した場合を右方向の画面スクロールに、ｃ側のタクトスイッチ１６を押した場合を左方向の画面スクロールにすれば、一つのスイッチで上下、左右の二方向に表示画面をスクロールすることができる。なお、左右モードから上下モードへ、上下モードから左右モードへの切り替えは、モードスイッチであるｂ側のタクトスイッチ１６をもう一度押せばよい。
【００２５】
以上、図面を参照して本発明の実施の形態について詳述してきたが、具体的な構成はこれらの実施の形態に限られるものではなく、この発明の要旨を逸脱しない範囲の設計変更等も含まれる。例えば、本発明の実施形態においては、スクロール用のスイッチが表示部の右側にある場合を例示したが、スクロール用のスイッチを表示部の左側に配置してもよい。
【００２６】
また、本発明の実施形態においては、可動部の案内レールとして固定部に凹形状のスライド溝があり、可動部に凸部を有する場合を例示したが、固定部に凸部を可動部に凹形状のスライド溝を有する構成としてもよい。さらにまた、本発明の実施形態においては、端子の移動に伴う、携帯端末内のＣＰＵのポート電圧の変化によって、スクロールスピードが変化する例を示したが、これに限らず、可動部を操作している時間に応じてスクロールスピードを変化させる構成としてもよい。
【００２７】
また、例えば、本発明の実施形態においては、可動部が固定部に対して、上下に移動するとともに、固定部内をスライドするスイッチについて例示したが、これに限らず、可動部を円形の構造として、これを回転する方向や回転する量あるいは、回転するスピードによって、表示画面をスクロールする方向、量あるいはスピードを制御する方法でもよい。
【００２８】
【発明の効果】
以上のように、この発明によれば、表示画面をスクロールするスイッチを表示部を有する面の側面に配置し、しかも、一つのスイッチで上下、左右の二方向に表示画面をスクロールすることができることとしたので、片手で容易に所望の情報をすばやく検索することが可能となる。
【図面の簡単な説明】
【図１】本発明の実施形態に係る携帯端末本体の上面図である。
【図２】本発明の第一の実施形態に係るスイッチをその断面から模式的に示したものである。
【図３】本発明の第一の実施形態に係るスイッチを側面から押し込んだ状態をその断面から模式的に示したものである。
【図４】本発明の第一の実施形態に係るスイッチの操作例とそのときの表示画面を表した図である。
【図５】本発明の第一の実施形態に係る携帯端末に取り付けられる表示画面スクロール用スイッチの斜視図である。
【図６】本発明の第一の実施形態に係る携帯端末に取り付けられる表示画面スクロール用スイッチの上面図（ａ）およびこれのＡ―Ａ´方向の断面図（ｂ）である。
【図７】本発明の第二の実施形態に係るスイッチにおける端子と挿入口の部分を拡大して模式的に示した概念図である。
【図８】本発明の第三の実施形態に係るスイッチにおける端子と挿入口の部分を拡大して模式的に示した概念図である。
【図９】本発明の第四の実施形態に係るスイッチの断面図である。
【符号の説明】
１・・・スイッチ、２・・・表示部
【図１】
2004029951.tif 000003
【図２】
2004029951.tif 000004
【図３】
2004029951.tif 000005
【図４】
2004029951.tif 000006
【図５】
2004029951.tif 000007
【図６】
2004029951.tif 000008
【図７】
2004029951.tif 000009
【図８】
2004029951.tif 000010
【図９】
2004029951.tif 000011